(57)【要約】【課題】浄化処理に伴う消臭処理や換気作業などを格別に必要とすることなく、布団やカーペット、更には、外面が布にて覆われた椅子等の大型の布製品等の処理対象物を適切に浄化処理することを可能とする浄化装置を提供する。【解決手段】本発明の浄化装置１は、光増感、又は、音増感により一重項酸素を発生させる浄化部４として、増感剤と光増感用の光源８又は音増感用の超音波発生装置４７と、該浄化部４にて発生した一重項酸素を含む空気を送風する送風手段としてのポンプ５とを備えた。【選択図】図１
2008220737.tif 000002
【特許請求の範囲】
【請求項１】
光増感、又は、音増感により一重項酸素を発生させる浄化手段と、該浄化手段にて発生した一重項酸素を含む空気を送風する送風手段とを備えたことを特徴とする浄化装置。
【請求項２】
前記送風手段から送られる空気を作用部位まで搬送して吹き出す流路を備えたことを特徴とする請求項１に記載の浄化装置。
【請求項３】
前記送風手段による空気の流速、及び／又は、前記流路の長さを、当該浄化手段にて一重項酸素が発生してから前記作用部位に吹き出されるまでの時間が、３０秒以下となるよう設定したことを特徴とする請求項１又は請求項２に記載の浄化装置。
【請求項４】
前記送風手段による空気の流速、及び／又は、前記流路の長さを、当該浄化手段にて一重項酸素が発生してから前記作用部位に吹き出されるまでの時間が、１０秒以下となるよう設定したことを特徴とする請求項３に記載の浄化装置。
【請求項５】
前記送風手段による空気の流速、及び／又は、前記流路の長さを、当該浄化手段にて一重項酸素が発生してから前記作用部位に吹き出されるまでの時間が、５秒以下となるよう設定したことを特徴とする請求項４に記載の浄化装置。
【請求項６】
前記流路は分岐構造を有して、前記送風手段からの空気を複数の前記作用部位に分散して吹き出すことを特徴とする請求項１乃至請求項５の何れかに記載の浄化装置。
【請求項７】
前記流路を内蔵し、前記送風手段からの空気を外面に吹き出す構造とされていることを特徴とする請求項１乃至請求項６の何れかに記載の浄化装置を備えた椅子。
【請求項８】
本体とは別体のヘッドレストを備え、当該本体とヘッドレストにそれぞれ独立した前記浄化装置を備えたことを特徴とする請求項７に記載の椅子。
【発明の詳細な説明】
【技術分野】
【０００１】
本発明は、大型の布製品などの直接洗浄することが困難なものを殺菌、脱臭することを可能とする浄化装置に関するものである。
【背景技術】
【０００２】
従来より、布団やカーペット、ソファ、自動車の座席シートなどの大型の布製品は、直接洗浄することが困難であるため、汗や埃が蓄積し、雑菌の繁殖が起こりやすく不衛生であった。また、汚れが付着してしまった場合には、中性洗剤などを含浸させた布を用いて、当該汚れが付着した箇所を叩き、汚れを取り除いていたが、完全に汚れを取り除くことは困難であり、また、内部にまで汚れが染みこんでしまった場合には、当該方法によっても、取り除くことは難しい。そのため、内部で汚れが固着し、雑菌の温床となってしまう問題がある。また、繊維独自の風合いが損なわれてしまうと共に、臭いが残留してしまうことから、当該汚れをも容易に取り除くことができる装置が望まれていた。
【０００３】
係る大型の布製品の清浄、汚れの除去又は衛生化を図る手法として特許文献１に示す如き方法がある。係る方法によれば、清浄用組成物を水などの溶媒に溶解し、当該混合物を清浄目的となるものに吹きつけ、ブラッシングなどを行った後、当該混合物を真空吸引して過剰な液体を吸い上げることにより、布製品等から汚れの除去を行うものである。
【０００４】
しかし、係る方法では、使用者自らが薬剤を使用した洗浄作業を実行しなければならない。また、布製品の内部にまで薬剤を浸透させることは困難であり、当該内部の汚れをも効果的に除去することは困難であった。更に、洗浄の際に、布製品には、液体の薬剤が吹き付けられることから、洗浄直後は、少なくとも表面が湿った状態となり、すぐに使用することができないという問題がある。また、薬剤を使用した洗浄であるため、洗浄後には、薬剤を布製品から除去する作業が強いられ、作業が煩雑となる問題がある。
【０００５】
他方、特許文献２には、オゾン発生装置から発生されたオゾンを含む空気をホースに導出し、当該ホースが接続されたエアーマットレスに供給し、当該エアーマットレス自体の洗浄を行う装置が開示されている。
【特許文献１】特表２００５−４１１８２１号公報
【特許文献２】特開平１０−５２９０号公報
【発明の開示】
【発明が解決しようとする課題】
【０００６】
しかしながら、特許文献２に示される装置では、浄化手段としてオゾンを使用しているため、オゾン特有の刺激臭により、周囲の人に不快感を与える問題がある。また、オゾンは、人体への有害性が報告されていることからも、特に限られた空間内において当該装置による浄化処理を行う場合には、人が周囲にいない状況で行う必要がある。更に、浄化処理後は、消臭処理を施す必要があるため、一定時間放置、若しくは、換気を行う必要があった。
【０００７】
そこで、本発明は従来の技術的課題を解決するために成されたものであり、浄化処理に伴う消臭処理や換気作業などを格別に必要とすることなく、処理対象物を浄化処理することを可能とする浄化装置を提供する。
【課題を解決するための手段】
【０００８】
本発明の浄化装置は、光増感、又は、音増感により一重項酸素を発生させる浄化手段と、該浄化手段にて発生した一重項酸素を含む空気を送風する送風手段とを備えたことを特徴とする。
【０００９】
請求項２の発明の浄化装置は、上記発明において、送風手段から送られる空気を作用部位まで搬送して吹き出す流路を備えたことを特徴とする。
【００１０】
請求項３の発明の浄化装置は、上記各発明において、送風手段による空気の流速、及び／又は、流路の長さを、当該浄化手段にて一重項酸素が発生してから作用部位に吹き出されるまでの時間が、３０秒以下となるよう設定したことを特徴とする。
【００１１】
請求項４の発明の浄化装置は、上記各発明において、送風手段による空気の流速、及び／又は、流路の長さを、当該浄化手段にて一重項酸素が発生してから作用部位に吹き出されるまでの時間が、１０秒以下となるよう設定したことを特徴とする。
【００１２】
請求項５の発明の浄化装置は、上記発明において、送風手段による空気の流速、及び／又は、流路の長さを、当該浄化手段にて一重項酸素が発生してから作用部位に吹き出されるまでの時間が、５秒以下となるよう設定したことを特徴とする。
【００１３】
請求項６の発明の浄化装置は、上記各発明において、流路は分岐構造を有して、送風手段からの空気を複数の作用部位に分散して吹き出すことを特徴とする。
【００１４】
請求項７の発明の浄化装置を備えた椅子は、上記各発明において、流路を内蔵し、送風手段からの空気を外面に吹き出す構造とされていることを特徴とする。
【００１５】
請求項８の発明の椅子は、上記発明において、本体とは別体のヘッドレストを備え、当該本体とヘッドレストにそれぞれ独立した浄化装置を備えたことを特徴とする。
【発明の効果】
【００１６】
本発明の浄化装置によれば、光増感、又は、音増感により一重項酸素を発生させる浄化手段と、該浄化手段にて発生した一重項酸素を含む空気を送風する送風手段とを備えたので、酸化力の高い一重項酸素を含む空気を浄化の対象となる物に吹き付けることによって、当該対象物を表面から内部に渡って、汚れの原因となる物質や雑菌などを分解処理することが可能となる。
【００１７】
これにより、湿らすことなく対象物を殺菌及び消臭処理することができるため、浄化処理後、乾燥させることなくすぐに、対象物を使用することが可能となる。また、一重項酸素は臭いがないことから、特有の刺激臭であるオゾンを用いた場合と異なり、浄化処理中に周囲の人に不快感を与える不都合を回避することができると共に、当該浄化処理後に格別に換気作業を行う必要がない。また、一重項酸素により浄化処理では、繊維などを傷めてしまう不都合を回避することができ、繊維独自の風合いを維持しつつ浄化処理することが可能となる。
【００１８】
請求項２の発明によれば、上記発明に加えて、送風手段から送られる空気を作用部位まで搬送して吹き出す流路を備えたので、当該流路を介して直接作用部位にまで一重項酸素を含む空気を送出することが可能となる。従って、作用部位に直接酸化力の高い一重項酸素を吹き付けることが可能となり、汚れの原因となる物質や雑菌などの分解能力の向上を図ることができる。
【００１９】
更に、請求項３の発明によれば、上記各発明に加えて、送風手段による空気の流速、及び／又は、流路の長さを、当該浄化手段にて一重項酸素が発生してから作用部位に吹き出されるまでの時間が、３０秒以下、好ましくは、請求項４の発明の如く１０秒以下、更に好ましくは、請求項５の発明の如く５秒以下となるよう設定したことにより、発生から比較的存在時間が短い一重項酸素であっても、当該一重項酸素が存在している間に該一重項酸素を含む浄化手段からの空気を作用部位に供給することが可能となるため、確実に一重項酸素による汚れの原因となる物質や雑菌などの分解能力を発揮することができる。
【００２０】
従って、作用部位を効果的に殺菌処理することが可能となり、清浄な状態を形成することが可能となる。
【００２１】
請求項６の発明によれば、上記各発明に加えて、流路は分岐構造を有して、送風手段からの空気を複数の作用部位に分散して吹き出すことから、複数の作用部位を一度に一重項酸素を含む空気によって浄化処理することが可能となる。従って、浄化対象が大型の物であっても、複数の作用部位から酸化力の高い一重項酸素を含む空気を吹き出すことが可能となるため、全体を一度に浄化処理することができるようになり、利便性の向上を図ることが可能となる。
【００２２】
請求項７の発明の浄化装置を備えた椅子によれば、上記各発明に加えて、流路を内蔵し、送風手段からの空気を外面に吹き出す構造とされているので、送風手段より一重項酸素を含む空気を椅子の外面に吹き出すことによって、容易に椅子の外面更には、外面近傍の椅子内部を浄化処理することが可能となる。
【００２３】
そのため、椅子外面に付着した汚れや臭いなどを容易に浄化処理することが可能となり、衛生的な状態を維持することが可能となる。
【００２４】
また、請求項８の発明によれば、上記発明において、本体とは別体のヘッドレストを備え、当該本体とヘッドレストにそれぞれ独立した浄化装置を備えたことにより、椅子本体とヘッドレストとを別個に一重項酸素を含む空気によって浄化処理することが可能となる。
【００２５】
そのため、特に汚れや臭いが付着しやすいヘッドレストのみを本体とは別に、浄化装置を動作させることが可能となり、利便性の向上を図ることができる。
【発明を実施するための最良の形態】
【００２６】
以下、図面に基づき本発明の実施形態として実施例１の浄化装置１及び実施例２の浄化装置２０を備えた椅子２１を例に挙げて説明する。
【実施例１】
【００２７】
実施例１では、布団やカーペットなどのような大型の布製品を浄化するために用いられる浄化装置１について図１及び図２を参照して説明する。図１は浄化装置１の概略構成図、図２は浄化装置１の本体２内部の概略構成図を示す。
【００２８】
本実施例における浄化装置１は、本体２と、当該本体２に接続されるシート部材３とから構成される。シート部材３は、例えばシングルの布団を略被覆可能な寸法に形成されており、内部には、長手方向に延在する複数の流路１２が配設されている。
【００２９】
各流路１２は、可撓性を有する材料、例えばシリコンチューブにより構成されており、当該流路１２の側面には、長手方向に渡って所定の間隔を存して複数の吐出孔１２Ａが形成されている。そして、各流路１２の一端は、本体２内に配設される複数の流路１１に接続されると共に、他端は閉塞されているものとする。なお、本実施例ではシリコンチューブにより流路を構成しているが、これに限定されるものではなく、一重項酸素に対する耐性を有するもので、使用により所定の耐久性を有するものであれば同様に適用することができる。
【００３０】
本体２内には、浄化手段としての浄化部４と、送風手段としてのポンプ５が配設されている。浄化部４は、内部に空気流路６を形成すると共に、増感剤担持体７と、当該増感剤担持体７に光を照射する光増感用の光源８とを収容している。
【００３１】
浄化部４は、空気流路６の上流側に位置して空気流入口が形成されており、当該空気流入口には、流路９を介してポンプ５が接続されている。他方、空気流路６の下流側に位置して空気流出口が形成されており、当該空気流出口には、流路１０が接続されている。この流路１０は、浄化部４内において処理された後の空気をシート部材３の各流路１２に接続されて分配するため、他端、即ちシート部材３側の端部は、複数の流路１１に分岐された分岐構造とされている。
【００３２】
増感剤担持体７は、例えばメッシュ状の通気性部材に、増感剤が含浸され、又は、塗布されることにより担持されている。本実施例における増感剤は、光増感により空気中の酸素から一重項酸素を発生可能とする光増感剤であるものとし、例えば、メチレンブルー、チオニン、ローズベンガル、エリスロシン、エオシンＹ、フルオレセイン、プロフラビン、フルオレノン、ローダミン、ポルフィリン、フタロシアニン、炭素スス分子（フラーレン様分子、又はその一部を含む炭素分子）、シリコンナノ結晶等、また、少なくともこれらを一つ以上含むものを使用する。
【００３３】
他方、光増感用の光源８は、上記増感剤担持体７に担持された増感剤を光増感可能とするもの、例えば、蛍光灯、ＬＥＤ、白熱ランプ、水銀ランプなどから構成される。光源８は、これら蛍光灯などから選択される少なくとも一つ以上から構成されるものであり、４００ｎｍ以上７００ｎｍ以下の範囲の可視光線を増感剤担持体７に照射可能とする。なお、励起波長は必ずしも可視光線の波長範囲に限定されるものではなく、紫外光線や赤外光線の波長範囲であっても良いものとする。ただし、本実施例の如く可視光線を用いる場合には、紫外光線や赤外光線に比べて特殊光源が不要となるため、取扱いが容易であり、また、光源単価も低廉であることから装置のコストダウンが可能となる。
【００３４】
係る構成により、光源８から可視光線を増感剤担持体７に照射することにより、増感剤担持体７に担持される増感剤は、当該可視光線により光励起して、項間交差による増感剤の三重項状態を形成する。
【００３５】
この状態で、ポンプ５から流路９を介して外気を浄化部４内の空気流路６に送出することにより、空気流路６内の三重項状態の増感剤は、空気中に存在する基底状態の酸素分子、即ち、三重項酸素と一重項酸素とのエネルギー差とほぼ等しい励起エネルギーを有することから、当該三重項状態の増感剤が三重項酸素と衝突することにより電子とエネルギー交換が生じて、増感剤が基底状態に戻ると同時に、三重項酸素が一重項酸素に遷移し、一重項酸素を発生させる。
【００３６】
そして、当該一重項酸素が含有される空気は、ポンプ５によって空気流出口から流路１０内に導出された後、複数に分岐された各流路１１内を経て、該流路１１に接続されるシート部材３の各流路１２に送出される。なお、本実施例では、送風手段として用いられるポンプ５は、室内への騒音レベルが５５ｄＢ以下、更に望ましくは、５０ｄＢ以下とされた騒音や振動が抑えられたポンプを用いる。
【００３７】
一方、本体２の外面、本実施例では、上面には、タイマ機能を有する電源スイッチ１３が設けられている。そのため、当該電源スイッチ１３をＯＮとすることにより、浄化部４の光源８に通電を行うと共に、ポンプ５を作動させる。なお、電源スイッチ１３に設けられるタイマは、例えば通電を開始してからの時間が例えば、１時間乃至２時間等のシート部材３の吐出孔１２Ａ近傍に位置する作用部（浄化対象となる布団やカーペットなど）を確実に殺菌可能とすることができる時間の経過によって通電を停止する。なお、当該時間はこれに限定されるものではなく、複数段階に任意に設定可能なものとしても良く、２４時間タイマとし、一日の内の所定の時刻に動作する設定としても良い。
【００３８】
係る構成により、浄化装置１のシート部材３を広げて、その上、即ち、各吐出孔１２Ａを被覆するように布団やカーペット等の浄化の対象となる物を広げる、若しくは、シート部材３の各吐出孔１２Ａを浄化の対象となる物に面するように当該対象物を被覆する。
【００３９】
その状態で、電源スイッチ１３をＯＮとすると、光源８から可視光線が浄化部４の増感剤担持体７に照射されることで、増感剤担持体７に担持される増感剤は、当該可視光線により光励起し、三重項状態とされる。そして、ポンプ５により流路９を介して外気を浄化部４内の空気流路６に送出されることにより、空気流路６内の三重項状態の増感剤は、空気中に存在する基底状態の酸素分子、即ち、三重項酸素と衝突することにより、一重項酸素を発生させる。
【００４０】
そして、当該一重項酸素が含有される空気は、ポンプ５によって空気流出口から流路１０、分岐された流路１１及びシート部材３の流路１２に導出され、当該流路１２に形成される各吐出孔１２Ａより排出される。そのため、シート部材３上に置かれた、若しくは該シート部材３により被覆された布団やカーペットなどの作用部位には、吐出孔１２Ａから一重項酸素が含有される空気が吹き付けられることにより、一重項酸素の高い酸化力によって、汚れの原因となる物質や雑菌などが分解処理される。
【００４１】
これにより、効果的に布団やカーペットなどの作用部位の表面から内部に渡って酸化力の高い一重項酸素を含む空気によって殺菌処理することが可能となる。そのため、従来の浄化方法とは異なり、湿らすことなく布団やカーペットなどの大型の布製品などを殺菌及び消臭処理することができるため、浄化処理後、乾燥させることなくすぐに、使用することが可能となる。また、一重項酸素は臭いがないことから、特有の刺激臭であるオゾンを用いた場合と異なり、浄化処理中に周囲の人に不快感を与える不都合を回避することができると共に、当該浄化処理後に格別に室内の換気作業を行う必要がない。また、一重項酸素により浄化処理では、オゾンによる浄化処理とは異なり、繊維などを傷めてしまう不都合を回避することができ、繊維独自の風合いを維持しつつ浄化処理することが可能となる。
【００４２】
特に、本実施例では、浄化部４にて生成されてポンプ５により送られる一重項酸素を含む空気を布団やカーペット等の各作用部位まで搬送して吹き出す流路１２を備えたので、直接、布団やカーペット等の各作用部位にまで一重項酸素を含む空気を送出することが可能となる。従って、各作用部位に直接酸化力の高い一重項酸素を吹き付けることが可能となり、汚れの原因となる物質や雑菌などの分解能力の向上を図ることができる。
【００４３】
また、上述したように当該流路１２は、浄化部４から導出される流路１０から分岐する各流路１１に接続された分岐構造とされているため、ポンプ５から送出され浄化部４にて生成された一重項酸素を含む空気を、複数の作用部位に一度に吹き出して浄化処理することが可能となる。従って、浄化対象が布団やカーペット等の大型の物であっても、複数の作用部位から酸化力の高い一重項酸素を含む空気を吹き出すことが可能となるため、全体を一度に浄化処理することができるようになり、利便性の向上を図ることが可能となる。
【００４４】
また、本実施例では、浄化装置１の動作に際し、ポンプ５が運転されることとなるが、当該ポンプ５は上述したように室内への騒音レベルが所定の値以下に低減されたものを使用することから、室内への騒音や振動を抑制することができる。
【００４５】
一方、浄化部４において生成される一重項酸素は、不安定な物質であるため、寿命が真空中では４５分、水中では３．３μ秒といわれている。空気中での寿命は条件により異なるため一般的には非常に短いものと認識されており、その酸化力を長時間維持することができない問題がある。そのため、浄化部４から各作用部位（実際には、各吐出孔１２Ａ）に送出されるまでの時間に対する殺菌効果について実験を行った。図３は当該実験結果を示す図である。
【００４６】
当該実験では、一重項酸素の発生源である浄化部４は、増感剤としてのローズベンガルを担持させたガラスビーズを充填したガラスカラム（φ２ｃｍ×２０ｃｍ）を増感剤担持体７とし、光源８として蛍光灯を使用した。空気の流速は１００ｍｌ／ｍｉｎとする。一重項酸素の発生源である浄化部４から作用部位近傍に位置する吐出孔１２Ａ出口に送出されるまでの時間を１５秒、２５秒、３５秒となるように、ポンプ５からの流路１０、１１、１２の流路長、流路径を設定している。そして、吐出孔１２Ａ付近に位置する作用部位には、予め１０5-6ＣＦＵ／ｍｌの大腸菌液を用意しておき、各設定毎にポンプ５及び光源８への通電開始から６０分後と、９０分後の大腸菌数を比較する。
【００４７】
これによると、浄化部４からの一重項酸素を含む空気が供給される以前は、生菌数が１０5-6ＣＦＵ／ｍｌであったものが、送出時間が１５秒である場合には、６０分後及び９０分後のそれぞれにおいて、生菌数が０となった。また、送出時間が２５秒である場合には、６０分後は、生菌数が０〜１０ＣＦＵ／ｍｌであったが９０分後は０となった。更に、送出時間が長い３５秒である場合についても、６０分後及び９０分後のそれぞれにおいて、生菌数が０となった。なお、送出時間が２５秒であって６０分後の生菌数が０〜１０ＣＦＵ／ｍｌであったが、誤差程度であるものと考えられる。
【００４８】
上述の結果より、一重項酸素は、不安定な物質であるが、浄化部４にて生成されてから作用部位に送出されるまでの時間（送出時間）が３５秒であっても、十分に一重項酸素の分解能力を得ることができ、効果的に作用部位を殺菌処理することができることが分かる。
【００４９】
従って、上記結果からも浄化部４から作用部位４に供給される空気の流速、及び／又は、浄化部４から作用部位までの空気の流路長などの条件を、当該浄化部４にて一重項酸素が発生してから最も浄化部４から離間した位置に設けられる吐出孔１２Ａ出口にまで供給されるまでの時間を、３０秒以下、好ましくは、１０秒以下、更に好ましくは、５秒以下となるように設定することによって、一重項酸素が存在している間に該一重項酸素を含む浄化部４からの空気をいずれの作用部位にも供給することが可能となるため、確実に一重項酸素による汚れの原因となる物質や殺菌の分解能力を発揮することができる。
【００５０】
これにより、各作用部位を効果的に殺菌処理することが可能となり、清浄な状態を形成することが可能となる。
【００５１】
なお、係る実施例では、浄化対象となる布団やカーペット等とは別途構成される浄化装置１を用いて、布団やカーペット等の各作用部位を吐出孔１２Ａから吐出される一重項酸素を含む空気によって浄化処理しているが、これに限定されるものではない。例えば、ベッドを構成するマットレス内部に上記シート部材３内に配設される流路１２を配設し、当該ベッド本体に浄化部４を組み込んで、マットレスの殺菌・消臭等の浄化処理を可能としても良い。
【実施例２】
【００５２】
次に、図４を参照して、実施例２としての浄化装置２０を備えた椅子２１について説明する。図４は浄化装置２０を備えた椅子２１の概略構成図を示す。
【００５３】
本実施例における椅子２１は、例えば外面が拭き取りなどによって容易に清浄化することが困難な材料、例えば布製品にて構成されたソファや自動車などに搭載される座席シートであり、座部２２と、背部２３と、当該背部２３の上端に設けられるヘッドレスト２４とから構成される。
【００５４】
座部２２、背部２３、ヘッドレスト２４は、少なくとも座面２２Ａ、背面２３Ａの外面は通気性を有する材料、例えば布などにより構成されているものとする。また、座部２２内部及び背部２３内部には、例えばシリコンチューブなどにより構成された流路２５、２６がそれぞれ配設されており、当該流路２５、２６には、少なくとも座面２２Ａ及び背面２３Ａに対向する位置に複数の吐出孔２７が形成されている。この場合においても、流路２５、２６は、シリコンチューブに限定されるものではなく、上記実施例と同様に、一重項酸素に対する耐性を有するもので、使用により所定の耐久性を有するものであれば同様に適用することができる。
【００５５】
上記椅子２１に設けられる浄化装置２０は、例えば椅子２１の座部２２下方などに配設される。この浄化装置２０は、外装ケースにより構成される本体３０と、当該本体２内に収納される浄化部３１と、送風手段としてのポンプ３２とから構成される。浄化部３１は、内部に空気流路３３を形成すると共に増感剤担持体３４を収容する増感部材３５と、当該増感部材３５内の増感剤担持体３４に光を照射する光増感用の光源３６とを収容している。
【００５６】
増感部材３５は、空気流路３３の上流側に位置して空気流入口が形成されており、当該空気流入口には、流路３７を介してポンプ３２が接続されている。他方、空気流路３３の下流側に位置して空気流出口が形成されており、当該空気流出口には、椅子２１内に配設される流路２５、２６が接続されている。
【００５７】
また、この増感部材３５は、少なくとも透光性材料にて構成されており、光源３６からの照射光が内部に収容される増感剤担持体３４に照射される構成とされている。なお、当該増感剤担持体３４は、上記実施例における増感剤担持体７と同一の構成とされていると共に、光源３６も、上記実施例における光源８と同一の構成とされているため、説明は省略する。また、図中３８は、タイマ機能を有する電源スイッチであり、詳細な構成は上記実施例の電源スイッチ１３と同様であるため説明は省略する。
【００５８】
なお、図中３９は、ポンプ３２及び光源３７に電源を供給するための電源部である。当該椅子２１が家庭用のソファなどである場合には、コンセントに接続されることにより、ポンプ３２及び光源３６に電源を供給することが可能であるが、例えば、当該椅子２１が自動車に搭載される座席シートである場合には、電源部は、当該自動車に搭載されるバッテリーや、二次電池、充電池、太陽光発電により充電可能な機構により構成しても良い。二次電池により構成した場合には、自動車のエンジン作動中に充電可能とされ、エンジン停止時にも当該浄化装置２０を動作することが可能となる。
【００５９】
係る構成により、電源スイッチ３８をＯＮとすると、光源３６から可視光線が増感部材３５の増感剤担持体３４に照射されることで、増感剤担持体３４に担持される増感剤は、当該可視光線により光励起し、三重項状態とされる。そして、ポンプ３２により流路３７を介して外気を増感部材３５内の空気流路３３に送出されることにより、空気流路３３内の三重項状態の増感剤は、空気中に存在する基底状態の酸素分子、即ち、三重項酸素と衝突することにより、一重項酸素を発生させる。
【００６０】
そして、当該一重項酸素が含有される空気は、ポンプ３２によって空気流出口から椅子２１の座部２２や背部２３内に配設される流路２５、２６に導出され、当該流路に形成される各吐出孔２７より排出される。そのため、座部２２や背部２３内部に位置する吐出孔２７から一重項酸素が含有される空気が吹き出されることによって、座部２２の座面２２Ａや背部２３の背面２３Ａが一重項酸素の高い酸化力によって、汚れの原因となる物質や雑菌などが分解処理される。
【００６１】
これにより、直接洗浄することが困難な椅子２１の座面２２Ａや背面２３Ａ等の外面、更には、外面近傍の椅子２１内部を酸化力の高い一重項酸素を含む空気によって効果的に殺菌処理することが可能となる。
【００６２】
そのため、椅子２１の座面２２Ａや背面２３Ａ等の外面に付着した汗や埃、その他、汚れや臭いなどを容易に浄化処理することが可能となり、衛生的な状態を維持することが可能となる。これにより、従来の浄化方法とは異なり、湿らすことなく椅子２１外面を殺菌及び消臭処理することができるため、浄化処理後、乾燥させることなくすぐに、使用することが可能となる。また、一重項酸素は臭いがないことから、特有の刺激臭であるオゾンを用いた場合と異なり、浄化処理中に周囲の人に不快感を与える不都合を回避することができると共に、当該浄化処理後に格別に室内の換気作業を行う必要がない。
【００６３】
なお、上記実施例では、ヘッドレスト２４に流路を設けていないが、座部２２や背部２３と同様に流路を設け、浄化装置２０から供給される一重項酸素を含む空気によって、ヘッドレスト２４の外面や外面近傍の内部などを浄化処理する構成としても良い。これにより、ヘッドレスト２４外面に付着した汚れや臭いなども除去することが可能となり、衛生的に使用することが可能となる。
【００６４】
また、図５に示す椅子４０は、座部２２と背部２３とから構成される本体４１とは別体のヘッドレスト４２を設けて、当該ヘッドレスト４２の内部に座部２２や背部２３内部に構成されるものとは独立した流路４３を設けている。そして、当該椅子本体４１を浄化処理する浄化装置２０とは独立した浄化装置４５を備えても良い。なお、当該浄化装置４５は、上記浄化装置２０と略同一の構成とされているものとする。浄化装置４５により流路４３に供給された一重項酸素を含む空気は、該流路４３に形成される吐出孔４３Ａよりヘッドレスト４２の頭部当接面４２Ａに向けて吐出することにより、当該頭部当接面４２Ａや当該当接面４２Ａ近傍をも浄化処理することが可能となる。
【００６５】
これにより、浄化装置４５のみ又は浄化装置２０のみを独立して動作させることによって、本体４１の外面の浄化処理と、ヘッドレスト４２の外面の浄化処理とを独立して実現することが可能となる。
【００６６】
そのため、特に汚れや臭いが付着しやすいヘッドレスト４２の頭部当接面４２Ａのみを本体４１とは別に、浄化装置４５を動作させることが可能となり、利便性の向上を図ることができる。
【００６７】
また、上記各実施例では、光増感により一重項酸素を生成しているが、これに限定されるものではなく、音増感により一重項酸素を生成しても良い。その場合、浄化部４又は３１は、増感剤担持体７又は３４に担持される増感剤を、シアニン色素、フタロシアニン、ポルフィリン、ペリレンキノン類、キサンテン系色素、又は、少なくともこれらを一つ以上含むものを使用する。また、光増感用の光源８又は３６の代わりに、音増感用の超音波発生装置４７を用いる。そして、当該超音波発生装置４７により、上記増感剤を増感可能とする周波数の音波、例えば０．０１〜１０ＭＨｚ、好ましくは、０．０１〜２ＭＨｚの周波数の音波を発生させる。
【００６８】
係る構成により、超音波発生装置４７から所定の周波数の音波が増感剤担持体７又は３４に照射されることにより、増感剤担持体７又は３４に担持される増感剤は、音励起して、項間交差による増感剤の三重項状態を形成する。
【００６９】
この状態で、ポンプ５又は３２から流路１０、１１、１２、若しくは、２５、２６、４３を介して外気を浄化部４又は３１内の空気流路に送出することにより、空気流路内の三重項状態の増感剤は、空気中に存在する基底状態の酸素分子、即ち、三重項酸素と一重項酸素とのエネルギー差とほぼ等しい励起エネルギーを有することから、当該三重項状態の増感剤が三重項酸素と衝突することにより電子とエネルギー交換が生じて、増感剤が基底状態に戻ると同時に、三重項酸素が一重項酸素に遷移し、一重項酸素を発生させる。
【００７０】
そして、当該一重項酸素が含有される空気は、ポンプ５又は３２によって流路１０、１１、１２、若しくは、２５、２６、４３内に導出され、各吐出孔１２Ａ又は２７、４３Ａより排出される。そのため、各吐出孔近傍に位置する作用部位、即ち布団やカーペット等、若しくは、椅子の外面には、一重項酸素が含有される空気が吹き付けられることにより、一重項酸素の高い酸化力によって、当該空気と接触した汚れの原因となる物質や雑菌などが分解される。
【００７１】
これにより、効果的に各作用部位を殺菌処理することが可能となり、清浄な状態を形成することが可能となる。
【００７２】
なお、係る場合において、増感剤は、光増感ではなく音増感であるため、直接光が照射される構成とする必要がない。従って、増感部材３５を透光性材料にて構成する必要がなくなると共に、光が到達できないような増感剤担持体３４の芯部にまで音波を到達させることによって、より効果的に一重項酸素を発生させることが可能となる。そのため、増感剤担持体３４を格別に超音波発生装置４７に面して設けることなく、音波が到達可能な位置、例えば、増感部材３４の空気流路３３底面などに設けた場合であっても、効果的に一重項酸素を発生させることができる。
【図面の簡単な説明】
【００７３】
【図１】浄化装置の概略構成図である。（実施例１）
【図２】浄化装置の本体内部の概略構成図である。（実施例１）
【図３】実験結果を示す図である。
【図４】浄化装置を備えた椅子の概略構成図である。（実施例２）
【図５】他の実施例としての浄化装置を備えた椅子の概略構成図である。
【符号の説明】
【００７４】
１、２０、４５  浄化装置
２    本体
３    シート部材
４、３１  浄化部（浄化手段）
５、３２    ポンプ（送風手段）
６、３３  空気流路
７、３４  増感剤担持体
８、３６  光源
９、１１、１２、２５、２６、３７、４３  流路
１２Ａ、２７  吐出孔
２１、４０  椅子
２２  座部
２２Ａ  座面
２３  背部
２３Ａ  背面
２４、４２  ヘッドレスト
３０、４１  本体
３５  増感部材
３８  電源スイッチ
３９  電源部
４２Ａ  頭部当接面
４７  超音波発生装置
【図２】
2008220737.tif 000003
【図３】
2008220737.tif 000004
【図４】
2008220737.tif 000005
【図１】
2008220737.tif 000006
【図５】
2008220737.tif 000007